(57)【特許請求の範囲】
【請求項１】
略筒状の本体の基端部が浴室内の取付面に穿設された貫通孔に挿入し、取付部材と締結し、本体の外周面に周設されるフランジと前記取付部材とが前記貫通孔周りを表裏から挟持し、該挟持により弾性変形自在の水密材が前記貫通孔周りを止水し、前記本体が内部を通る給水管及び給湯管などの配管を前記貫通孔を貫くように水密に案内する浴室の配管取付器具において、
前記基端部及び取付部材は、締め付け方向に係合する係合面を備え、
該係合面は、所定の締め付け量を超える締め付けを規制するように形成され、
前記フランジからの押圧を受ける天板と、該天板の外縁から垂下する筒部とを備えた、該筒部から前記水密材の一部がはみ出るように該水密材に覆い被さるキャップ部材を更に備えることを特徴とする浴室の配管取付器具。
【請求項２】
前記取付部材は、前記取付面に固定するための取付手段を備えることを特徴とする請求項１に記載の浴室の配管取付器具。
【請求項３】
前記取付部材は、前記取付面との位置合わせをするための位置決め手段を更に備えることを特徴とする請求項２に記載の浴室の配管取付器具。
【請求項４】
前記フランジより先端側の外周面から張り出した、前記取付面から立ち上がる起立面に前記取付面が変位する方向に対して運動自在となるように固定される揺れ止め部を更に備えることを特徴とする請求項１〜３の何れかに記載の浴室の配管取付器具。
【請求項５】
前記基端部及び取付部材は、締め付けが所定の締め付け量となる状態で前記揺れ止め部が前記起立面に向かって張り出す位置で停止するように制限する回転規制手段を更に備えることを特徴とする請求項４に記載の浴室の配管取付器具。
【請求項６】
前記本体の先端部に外嵌する略筒状の他部材と、
締め付け方向への回転によって前記他部材を前記本体の先端部に締結する締め付け部材と
を備え、
該締め付け部材は、前記揺れ止め部とともに前起立面に固定される戻り止め部を備えていることを特徴とする請求項４又は５に記載の浴室の配管取付器具。
【発明の詳細な説明】
【技術分野】
【０００１】
本発明は、給水管及び給湯管などの配管を浴室内に引き込むための貫通孔周りを止水するための浴室の配管取付器具に関する。
【背景技術】
【０００２】
従来、浴室は、給水管及び給湯管などの配管を外部から引き込むために、床面及び壁面などの取付面に貫通孔が開けられ、この貫通孔から配管が引き込まれるとともに、貫通孔周りから水が浸入しないように水密にされている。
【０００３】
そこで、従来、水密性を保ちながら配管を浴室内に引きまわすための配管取付器具及びその器具を用いる構造が提案されている（例えば、特許文献１及び特許文献２）。
【０００４】
後述する図７に示すように、特許文献１に記載された配管取付器具は、内部に配管Ｐを通された本体９０の基端部が貫通孔Ｈに挿入されて取付面Ｆの裏側から突き出し、突き出した基端部に締付ナット９２が取り付けられ、この締付ナット９２と、本体９０のフランジ９４とで取付面Ｆを表裏から挟み込んでいる。また、フランジ９４と取付面Ｆとの間に挟まれた弾性変形自在な水密材９３が貫通孔周りを水密にしている。
【０００５】
更にまた、特許文献２に記載された配管取付器具は、本体の先端部が結束バンドで締め付けられることにより、先端開口から突き出る配管に密着して水密になっている。
【先行技術文献】
【特許文献】
【０００６】
【特許文献１】特開２００９−２７５４１４号公報
【特許文献２】特許第３６７３７２６号公報
【発明の概要】
【発明が解決しようとする課題】
【０００７】
先に提案された配管取付器具にあっては、締付ナットが適度な荷重で締め付けられることにより、水密材が弾性変形して貫通孔周りを止水する。また、締付ナットが基端部や取付面との間に摩擦力を生じさせることにより、その締め付けの緩みが防がれている。
【０００８】
しかしながら、締付ナットの締め付けが過度となる場合、締付ナット、フランジ、水密材及び取付面を含む部材などに負荷が掛かり、これらが破損して浸水を招くおそれがある。一方、締付ナットの締め付けが不足する場合、水密材が弾性変形せず、十分な止水ができない。また、配管を流れる湯水による水撃作用（ウォーターハンマー）が反復発生することにより、器具全体が揺れ動いて締付ナットの締め付けが緩むおそれがある。更にまた、本体が反締め付け方向に回転することによって締付ナットが緩むおそれがある。
【０００９】
本発明は、かかる事情を鑑みてなされたものであり、本体の基端部と取付部材との締め付けを所定の締め付け量に規制することにより、特別な工具を用いることなく適切な締め付け作業を行うことができ、過度な締め付けによる部材の破損や、締め付けの緩みによる上述の問題を回避することができる浴室の配管取付器具を提供することを目的とする。
【課題を解決するための手段】
【００１０】
本発明に係る浴室の配管取付器具は、略筒状の本体の基端部が浴室内の取付面に穿設された貫通孔に挿入し、取付部材と締結し、本体の外周面に周設されるフランジと前記取付部材とが前記貫通孔周りを表裏から挟持し、該挟持により弾性変形自在の水密材が前記貫通孔周りを止水し、前記本体が内部を通る給水管及び給湯管などの配管を前記貫通孔を貫くように水密に案内する浴室の配管取付器具において、前記基端部及び取付部材は、締め付け方向に係合する係合面を備え、該係合面は、所定の締め付け量を超える締め付けを規制するように形成され、前記フランジからの押圧を受ける天板と、該天板の外縁から垂下する筒部とを備えた、該筒部から前記水密材の一部がはみ出るように該水密材に覆い被さるキャップ部材を更に備えることを特徴とする。
【００１１】
本発明に係る浴室の配管取付器具にあっては、取付面を表裏から挟持する本体及び取付部材が備える、それぞれの係合面が、所定の締め付け量を超える締め付けを規制できるように形成されていることにより、取付面との水密性が確保できる程度の適切な締め付けが特別な工具を用いることなく行われる。
【００１３】
本発明に係る浴室の配管取付器具にあっては、キャップ部材が水密材に覆い被さり、天板でフランジからの押圧を受けることにより、本体と取付部材とが締め付け結ばれたときに、天板がフランジの押圧を水密材に伝える。また、天板の外縁から垂下する筒部を備えることにより、フランジの押圧によって水密材が弾性変形する場合、水密材が外側に膨らまないようにして水密材の弾性変形力が貫通孔周りに集中するようにする。また、水密材の一部がキャップ部材の筒部からはみ出ていることにより、本体と取付部材とが締め付け結ばれることによってキャップ部材の筒部の下端が取付面に接近していき、水密材が弾性変形していく。そして、キャップ部材の筒部の下端が取付面に到達したとき、この筒部が支えとなって、それ以降の締め付けを規制する。
【００１４】
また、本発明に係る浴室の配管取付器具は、前記取付部材は、前記取付面に固定するための取付手段を備える構成であってもよい。
【００１５】
本発明に係る浴室の配管取付器具にあっては、取付部材を取付面に固定することにより、例えば、作業者は、取付面の裏側に潜り込み、裏側から取付部材を手で押さえつつ、本体を取付面の表側から取り付ける、というような困難な作業を行うことなく、取付面に予め固定された状態の取付部材に取付面の表側から本体を取り付けるだけですむ。
【００１６】
また、本発明に係る浴室の配管取付器具は、前記取付部材は、前記取付面との位置合わせをするための位置決め手段を更に備える構成であってもよい。
【００１７】
本発明に係る浴室の配管取付器具にあっては、取付部材が位置決め手段を備えることにより、作業者は、目視しながら正確な取付位置に取付部材を取り付ける。
【００１８】
また、本発明に係る浴室の配管取付器具は、前記フランジより先端側の外周面から張り出し、前記取付面から立ち上がる起立面に前記取付面が変位する方向に対して運動自在となるように固定される揺れ止め部を更に備える構成であってもよい。
【００１９】
本発明に係る浴室の配管取付器具にあっては、本体の外周面から張り出した、取付面から立ち上がる起立面に固定される揺れ止め部を備えることにより、少なくとも本体の横方向の揺れを抑え、本体の反締め付け方向への回転を防ぐ。また、取付面が変位する方向に対して運動自在となるように揺れ止め部が固定されることにより、取付面の撓み応じて揺れ止め部を含む本体が運動することにより、取付面の撓みに基づく本体への負荷を吸収する。
【００２０】
本発明に係る浴室の配管取付器具は、前記基端部及び取付部材は、締め付けが所定の締め付け量となる状態で前記揺れ止め部が前記起立面に向かって張り出す位置で停止するように制限する回転規制手段を更に備える構成であってもよい。
【００２１】
本発明に係る浴室の配管取付器具にあっては、揺れ止め部が起立面に向かって張り出すように回転規制することにより、揺れ止め部の起立面への固定が確実になるとともに、作業員は、揺れ止め部が起立面を向いたときに適切な締め付けがなされていることを視認する。
【００２２】
本発明に係る浴室の配管取付器具は、前記本体の先端部に外嵌する略筒状の他部材と、締め付け方向への回転によって前記他部材を前記本体の先端部に締結する締め付け部材とを備え、該締め付け部材は、前記揺れ止め部とともに前起立面に固定される戻り止め部を備える構成であってもよい。
【００２３】
本発明に係る浴室の配管取付器具にあっては、揺れ止め部による器具本体の揺れ止めを図るとともに、本体の先端部に外嵌する略筒状の他部材を締め付ける部材の回転の戻りを止める。
【発明の効果】
【００２４】
本発明にあっては、特別な工具を用いることなく適切な締め付け作業を行うことができ、過度な締め付けによる部材の破損や、締め付けの緩みによる種々の問題を回避することができる。
【図面の簡単な説明】
【００２５】
【図１】本発明に係る浴室の配管取付器具を正面視右斜めから見た分解斜視図である。
【図２】本発明に係る浴室の配管取付器具を正面視前後方向に切断した側面視断面図である。
【図３】本発明に係る浴室の配管取付器具が備える本体と取付部材との締め付け構造を示す説明図であり、（ａ）は本体の構造を正面視左斜めから見た斜視図、（ｂ）は取付部材を正面視前後方向に切断した側面視断面図である。
【図４】本発明に係る浴室の配管取付器具が備える位置決め手段を正面視左右方向に切断した正面視断面図である。
【図５】本発明に係る浴室の配管取付器具の取付例を示す斜視図である。
【図６】本発明に係る浴室の配管取付器具の取付例を水平方向に切断する断面斜視図である。
【図７】従来の浴室の配管取付器具を正面視前後方向に切断した側面視断面図である。
【発明を実施するための形態】
【００２６】
本発明に係る浴室の配管取付器具について、実施の形態を示す図に基づいて以下説明する。本発明に係る配管取付器具は、図１及び図２に示すように、円筒状のプラグ１と、プラグ１と取付面Ｆとを水密にする床用水密材２と、床用水密材２を覆うパッキンガイド３と、プラグ１を取付面Ｆに取り付けるためのベース４と、ベース４と取付面Ｆとを水密にするベース用水密材４０と、プラグ１の先端側に嵌り込むブーツ５と、プラグ１の先端部とブーツ５とを水密にするプラグキャップ５０と、プラグ１を起立面Ｗに固定するための固定ピース６と、固定ピース６と起立面Ｗとを水密する固定ピース用水密材６０とを備える。なお、本実施の形態において、取付面Ｆとは、配管取付器具が取り付けられる床面（及び壁面）であり、起立面Ｗとは、取付面Ｆから立ち上がる壁面（及び床面）である。また、プラグ１の基端側は、取付面Ｆの貫通孔Ｈへ挿し込む側とし、先端側は、取付面Ｆから突き出る側とする。
【００２７】
詳述すると、プラグ１は、配管取付器具の本体であり、ポリアセタール（ＰＯＭ）からなる略円筒形をなし、フランジ１０と、挿入筒部１１と、Ｏリング取付溝１２と、係合爪１３と、張り出し片１４と、ブーツ取付ストッパ１５とを備える。
【００２８】
フランジ１０は、プラグ１の中間辺りから平面視円形の鍔状に張り出している。挿入筒部１１は、フランジ１０より基端側にあるプラグ部であり、フランジ１０から基端に向かって順番に、Ｏリング取付溝１２と、係合爪１３とが形成されている。
【００２９】
係合爪１３は、図３（ａ）に示すように、挿入筒部１１の外周面から散点的に突き出し、プラグ１の軸方向に対して二段に分かれている。一段目の係合爪１３と二段目の係合爪１３とは、平面視で重なり合わないように突き出ている。係合爪１３は、係合開始位置から係合規制位置まで上り傾斜（誘い部）をなし、係合規制位置から係合終了位置まで水平（規制部）をなすように形成されている係合面１３０を備える（図３（ａ）参照）。
【００３０】
張り出し片１４は、配管取付器具の揺れ止め部であり、フランジ１０より先端側の外周面から一方向に張り出している。また、張り出し片１４は、幅方向がプラグ１の軸方向と一致するように張り出し、幅方向に対してプラグ１の先端側の側端が基端側の側端より長くなるように張り出している。また、張り出し片１４は、張り出し方向の先端が平面視略Ｔ字形となるように左右に分かれ延び、分かれ延びた部分がスライド係合突起１４０として機能する。
【００３１】
ブーツ取付ストッパ１５は、プラグ１の先端部から平面視円形の鍔状に張り出し、その外縁から、複数の締め付け爪が適度な間隔を開けて全周に亘って更に突き出ている。
【００３２】
床用水密材２は、例えば、硬度３０度の発泡シリコーンなどの軟質材からなる厚みのある環状をなし、押圧力によって弾性的に変形し、取付面Ｆの貫通孔Ｈ辺りの隙間を埋めるように止水する。床用水密材２は、表面が滑り性を有しており、プラグ１の回転運動により、床用水密材２とプラグ１の挿入筒部１１との接触箇所が滑る。
【００３３】
パッキンガイド３は、床用水密材２に覆い被さるキャップ部材であり、ＰＯＭ（ポリアセタール）、ＡＢＳ樹脂（アクリロニトリル・ブタジエン・スチレン共重合合成樹脂）又は金属などの硬質材で形成され、環状の天板３０と、天板３０から垂れ下がる筒部３１とを備える。筒部３１は、高さ寸法が床用水密材２の厚み寸法の３／４程度となるように形成されている。パッキンガイド３は、天板３０及び筒部３１の表面が平坦になって滑り性を有しており、プラグ１の回転運動により、プラグ１のフランジ１０と天板３０との接触箇所、並びに、天板３０及び筒部３１と床用水密材２との接触箇所が滑り、スリップワッシャ部材として機能する。
【００３４】
ベース４は、プラグ１を取付面Ｆに取り付けるための取付部材であり、ＰＯＭ（ポリアセタール）で形成され、プラグ受け４１と、挟持板４２と、リブ取付片４３とを備える。
【００３５】
プラグ受け４１は、プラグ１の挿入筒部１１の外径より僅かに大径の略円筒形をなし、図３（ｂ）に示すように、内周面から複数の係合受け爪４４が散点的に突き出ている。係合受け爪４４は、プラグ受け４１の軸方向に対して二段に分かれ、一段目の係合受け爪４４が二段目の係合受け爪４４と平面視で重なり合わないように突き出ている。係合受け爪４４は、係合開始位置から係合終了位置まで水平をなすように形成されている係合受け面４４０を備える。また、いずれかの係合受け面４４０は、係合終了位置から小さな回動規制片４４１が突き出ている。
【００３６】
挟持板４２は、プラグ受け４１の中間辺りから平面視四角形の鍔状に張り出している。リブ取付片４３は、ベース４を取付面Ｆの裏面に固定するための取付手段であり、挟持板４２の張り出し縁から略舌状に垂れ下がり、図４に示すように、縁から幅方向に突き出た位置決め突起４３０と、面上に刻まれた切り取り溝４３１と、ねじ孔４３２とを備える。
【００３７】
切り取り溝４３１は、上方に折れ曲がるコの字形の窓が一部分に開けられ、その窓の内側に形成されたコーナ部の先端が、位置決め突起４３０を結ぶ仮想線上にある。ねじ孔４３２は、切り取り溝４３１を挟んだ上下の位置に開けられている。
【００３８】
ベース用水密材４０は、例えば、ＥＰＤＭ（エチレン−プロピレン−ジエンゴム）発泡などの軟質材からなる厚みのある環状をなし、押圧力によって弾性的に変形し、取付面Ｆの貫通孔Ｈ周りの隙間を埋めるように止水を行う。
【００３９】
ブーツ５は、プラグ１の先端部に嵌り込む他部材であり、例えば、非発泡のＥＰＤＭ（エチレン−プロピレン−ジエンゴム）などの弾性材からなる略円筒形をなし、外周面が蛇腹状であるとともに、基端部（取付側）から平面視円形の鍔状のストッパが張り出している。
【００４０】
プラグキャップ５０は、ブーツ５をプラグ１の先端部に締め付けるための締め付け部材であり、ＰＯＭ（ポリアセタール）で形成され、環状の天板５００と、天板５００から垂れ下がる筒部５０１とを備える。筒部５０１は、内周面から複数の締め付け受け爪５０２が突き出し、外周面から一方向に戻り止め片５０３が張り出している。締め付け受け片５０２は、係合終了位置に回動規制片が突き出ている。
【００４１】
固定ピース６は、張り出し片１４を起立面Ｗに固定するための部材であり、ＰＯＭ（ポリアセタール）からなる矩形のプレートである。固定ピース６は、幅方向と直交する長さ方向に沿って形成されたスライド係合溝６１と、スライド係合溝６１を挟んで幅方向に離れた位置に開けられたねじ孔６２とを備える。スライド係合溝６１は、一端が開放し、他端が閉鎖されている。
【００４２】
固定ピース用水密材６０は、例えば、ＥＰＤＭ（エチレン−プロピレン−ジエンゴム）発泡などの軟質材からなり、押圧力によって固定ピース６の取付箇所の隙間を埋めるように弾性的に変形し、止水を行う。
【００４３】
このように、配管取付器具は、複数の部材により構成されている。そこで、これらの部材を用いた配管取付器具の組み立て及び取り付けの方法について以下説明する。なお、本発明に係る配管取付器具は、浴室内の床面及び壁面に取り付けることができるが、ここでは、裏面に補強用リブＲが形成された床パンに対する取り付けを一例として説明する。
【００４４】
（ベース４の取り付け）
まず、配管取付器具は、ベース４のプラグ受け４１の外周にベース用水密材４０が嵌り込む。配管取付器具は、基端部が床パンの裏側から床パンの貫通孔Ｈに挿入され、リブ取付片４３が補強用リブＲに接触する。配管取付器具は、ベース４が、位置決め突起４３０の先端が補強用リブＲの表面に描かれたケガキ線Ｌと一致する位置まで押し込まれ、ベース用水密材４０が挟持板４２と貫通孔Ｈ周りとで挟み押さえ付けられ、弾性変形して貫通孔Ｈ周りの隙間を止水する。配管取付器具は、タッピングねじがねじ孔４３２を介して補強用リブにねじ込まれ、固定される。
【００４５】
また、配管取付器具は、リブ取付片４３の垂下寸法より短い補強用リブＲに取り付けられる場合、リブ取付片４３の先端側が切り取り溝４３１で切り取られ、切り取り箇所に新たに形成されたコーナ角の先端が補強用リブＲの下端縁と一致する位置で固定される。
【００４６】
（配管及び床パンの取り付け）
給水管及び給湯管などの配管は、水栓のため浴室内に引き込まれる。配管は、ベース４のプラグ受け４１の下方から挿入される。床パンは、ベース４及び配管が取り付けられた状態で、浴室内に設置される。
【００４７】
（プラグ１の取り付け）
配管取付器具は、パッキンガイド３がプラグ１の挿入筒部１１の外周に嵌り込み、床用水密材２がパッキンガイド３の筒部３１に覆い被さる状態で挿入筒部１１の外周に嵌り込む。このとき、床用水密材２は、下端側１／４の部分がパッキンガイド３の筒部３１からはみ出した状態にある。配管取付器具は、例えば、硬度７０のＥＰＤＭ（エチレン−プロピレン−ジエンゴム）からなるＯリング２０がＯリング取付溝１２に嵌め込まれる。
【００４８】
配管取付器具は、床パンから開口をのぞかせているベース４のプラグ受け４１にプラグ１の挿入筒部１１が挿入され、プラグ１の係合面１３０とベース４の係合受け面４４０とが係合開始位置で係わり合う。配管取付器具は、締め付け方向（時計回り）に回転運動することにより、係合受け面４４０が係合面１３０の上り傾斜（誘い部）に摺り合わさり、プラグ１がベース４に引き付けられていく。配管取付器具は、更に回転運動を続けて、係合受け面４４０が係合規制位置に到達し、係合受け面４４０が係合面１３０の水平（規制部）に進入した場合、それ以降、プラグ１がベース４に引き付けられることがなくなる。配管取付器具は、更に回転運動を続けると、プラグ１の係合爪１３がベース４の係合受け爪４４の回動規制片４４１に接触し、それ以上の回転運動が規制される。このとき、プラグ１は、張り出し片１４が起立面Ｗとなる壁パネルを向く位置で回転を停止する。
【００４９】
（ブーツ５の取り付け）
配管取付器具は、ブーツ５がプラグ１の先端部の外周に嵌り込み、ストッパがプラグ１のブーツ取付ストッパ１５に接触する位置まで押し込まれる。配管取付器具は、プラグキャップ５０がプラグ１の先端部の外周に嵌り込み、締め付け方向（時計回り）に回転運動することにより、締め付け受け爪５０２がブーツ取付ストッパ１５の締め付け爪と係わり合い、ブーツ５の基端部がプラグ１の先端部に固定される。このとき、プラグキャップ５０は、締め付け受け爪５０２の回動規制片がブーツ取付ストッパ１５の締め付け爪の係合終了位置に到達することにより、戻り止め片５０３が壁パネルを向く位置で回転を停止する。即ち、戻り止め片５０３は、張り出し方向が、プラグ１の張り出し片１４の張り出し方向と一致する。また、給水管及び給湯管などの配管は、ブーツ５の先端開口から浴室内に臨む。配管取付器具は、ブーツ５の先端部がポリアミド合成繊維製の結束バンド５１に締め付けられ、配管と水密になる。
【００５０】
（固定ピース６の取り付け）
配管取付器具は、プラグキャップ５０の戻り止め片５０３及びプラグ１の張り出し片１４のスライド係合突起１４０が、固定ピース６のスライド係合溝６１の開放端に嵌め込まれ、スライドしながら閉鎖端に向かって係わり合っていく。このとき、固定ピース６は、スライド係合溝６１が床パンに向かう方向に沿うように配置される。配管取付器具は、固定ピース用水密材６０が固定ピース６の裏面と壁パネルとの間に挟み込まれ、タッピングねじがねじ孔６２を介して壁パネルにねじ込まれ、固定される。
【００５１】
配管取付器具は、上述するように組み立て及び取り付けがなされることにより、以下の作用効果を奏する。配管取付器具は、プラグ１の取付作業が容易となる。作業員は、配管を通してベース４を取付面Ｆに取り付け固定し、この取付面Ｆを有する部材を浴室に取り付け、その後、取付面Ｆの貫通孔Ｈから突き出るベース４のプラグ受け４１に、プラグ１の挿入筒部１１を挿し込み、固定するだけで止水作業が完了する。従って、取付面Ｆの裏側に手をまわしてベース４を支えながらプラグ１と嵌め合わせるというような困難な取付方法を強いられることがない。なお、従来の取付方法として、配管、ベース及びプラグを予め取り付けた状態の床パンなどを浴室に取り付ける方法が存在するが、配管に無用な力がかかり破損するおそれがあるため、好ましくない。
【００５２】
また、配管取付器具は、費用を抑えることができる。ベース４が取付面Ｆの裏面の補強用リブＲに取り付くようにしてあることにより、ベース４を取り付けるための部材を別途設ける必要がない。
【００５３】
また、配管取付器具は、設定された取付位置にベース４を取り付けることができる。作業員は、位置決め突起４３０と補強用リブＲのけがき線Ｌとを目視しながら、ベース４を設定された取付位置に取り付ける。その結果、プラグ１とベース４とは、予定された距離で係わり合うので、締め付け調整が設定された範囲内で行われる。
【００５４】
また、配管取付器具は、設定された締め付け量によってプラグ１をベース４に締め付けることができる。配管取付器具は、プラグ１の回転運動によって床用水密材２のはみ出し部分が弾性変形してベース４に引きつられ、パッキンガイド３の筒部３１の下端が取付面Ｆに到達したとき、この下端が支えとなり、プラグ１の締め付けが規制される。その結果、プラグ１、床用水密材２及び取付面Ｆを含む部材などの破損を防ぐことができる。
【００５５】
また、配管取付器具は、上述するように、プラグ１の係合爪１３及びベース４の係合受け爪４４の形状及び寸法が工夫されていることにより、プラグ１のベース４への締め付け量が所定の締め付け量となるように制限されている。その結果、配管取付器具は、設定された締め付け量だけ締め付けが行われ、プラグ１、床用水密材２及び床パンなどの破損を防止する。また、配管取付器具は、ベース４の係合受け爪４４の回動規制片４４１によって、プラグ１の張り出し片１４が起立面Ｗを向くように回転運動が規制されていることにより、この状態にあるときに適切な締め付けがなされているということを作業員に視認させることができる。
【００５６】
また、配管取付器具は、床用水密材２の水密性を向上させる。配管取付器具は、プラグ１が回転運動することによって床用水密材２がプラグ１のフランジ１０と取付面Ｆとの間で圧して押さえ付けられ、径方向に膨らむように弾性変形する。配管取付器具は、パッキンガイド３の筒部３１が床用水密材２の外側への膨らみを抑える。その結果、床用水密材２は、弾性変形力がプラグ１の挿入筒部１１、パッキンガイド３及び取付面Ｆを含む部材の方向に強く働き、これらの隙間を埋めるとともに、パッキンガイド３をフランジ１０に密着させる。なお、床用水密材２は、覆い被さるパッキンガイド３がスリップワッシャとして機能するので、プラグ１の回転運動によってねじりきれることがない。
【００５７】
また、配管取付器具は、貫通孔Ｈ周りの隙間を完全に水密にする。即ち、配管取付器具は、床用水密材２が一次水密手段となり、Ｏリング２０及びベース用水密材４０が二次水密手段となり、２つの経路のそれぞれを二重水密する。具体的には、床用水密材２及びＯリング２０が取付面Ｆからベース４のプラグ受け４１の内周面に向かう湯水の流れを止水し、床用水密材２及びベース用水密材４０が取付面Ｆからベース４のプラグ受け４１の外周面に向かう湯水の流れを止水する。
【００５８】
また、配管取付器具は、係合爪１３及び係合受け爪４４を複数段設けることにより、各係合爪にかかる負荷を分散して破損を回避するとともに、プラグ１及びベース４の引き付けを確実なものとする。
【００５９】
配管取付器具は、スライド係合突起１４０がスライド係合溝６１の開放端辺りで係わり合う場合、上述するように、スライド係合突起１４０の張り出し寸法の長い部分が固定ピース６と係わり合い、プラグ１と固定ピース６との距離が長くなる。これに対して、閉鎖端辺りで係わり合う場合、スライド係合突起１４０の張り出し寸法の短い部分が固定ピース６と係合するから、プラグ１と固定ピース６との距離が短くなる。その結果、プラグ１は、張り出し片１４が固定ピース６に徐々に引き寄せられるので、取付時に過度な負担がかかり破損することがない。また、プラグ１と固定ピース６との間が設定された距離よりも僅かに遠くなる場合、スライド係合突起１４０が係合溝６１の閉鎖端に到達しない状態で固定される。
【００６０】
配管取付器具は、プラグ１の張り出し片１４が固定ピース６を介して起立面Ｗに固定されることにより、器具全体の揺れ動きを防ぐとともに、プラグ１の反締め付け方向への想定外の回転を防ぐ。また、配管取付器具は、プラグキャップ５０の戻り止め片５０３がプラグ１の張り出し片１４と同じ方向を向くように張り出すことにより、プラグ１の張り出し片１４とともに固定ピース８を介して起立面に固定され、プラグキャップ５０の反締め付け方向への回転を防ぐ。
【００６１】
配管取付器具は、取付面Ｆにかかる荷重が貫通孔Ｈ周り及び起立面Ｗに伝わらないようにしてある。配管取付器具は、取付面Ｆに荷重がかかって撓む場合であっても、スライド係合突起１４０と固定ピース６とが取付面Ｆに向かう方向にスライドすることにより、取付面Ｆの撓みを吸収する。その結果、取付面Ｆの撓みにより、プラグ１が取付面Ｆから引き抜かれたり、固定ピース６が起立面Ｗから引き剥がされたり、するような負荷がかかることを回避する。言い換えれば、配管取付器具は、スライド係合突起１４０と固定ピース６とが取付面Ｆが変位する方向にスライドするようにしてあることにより、取付面Ｆの撓みを吸収することができる。
【００６２】
配管取付器具は、ブーツ５の外周面が蛇腹状になっていることにより、配管の線膨張を吸収して、プラグ１等への負荷を和らげる。
【符号の説明】
【００６３】
１  プラグ
１０  フランジ
１１  挿入筒部
１３  係合爪
１３０  係合面
１４  張り出し片
１５  ブーツ取付ストッパ
２  床用水密材
３  パッキンガイド
４  ベース
４１  プラグ受け
４３  リブ取付片
４３０  位置決め突起
５  ブーツ
５０  プラグキャップ
５０３  戻り止め片
６  固定ピース
６１  スライド係合溝
【図１】
0005645452.tif 000002
【図２】
0005645452.tif 000003
【図３】
0005645452.tif 000004
【図４】
0005645452.tif 000005
【図５】
0005645452.tif 000006
【図６】
0005645452.tif 000007
【図７】
0005645452.tif 000008